【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
入力信号を受信し、該入力信号を増幅して出力信号を生成するよう動作可能な増幅器と、
該増幅器に結合されて該増幅器に電力を供給するための電源であって、入力信号の包絡線をトラッキングし、該入力信号の包絡線の変動に応答して、当該電源の伝達関数に従って、増幅器に供給される電力のレベルを変化させるよう動作可能な前記電源と、
該電源に結合される先行ひずませ回路であって、電源の伝達関数における非線形性を処理するために、かつ電源の入力信号の包絡線のトラッキング能力を改善するために、入力信号の包絡線の表示を受信して、電源に行く入力信号の包絡線を予めひずませるよう動作可能な前記先行ひずませ回路と、
を備えた送信器。
【請求項２】
先行ひずませ回路は、入力信号の包絡線を予めひずませるよう動作可能である請求項１に記載の送信器。
【請求項３】
先行ひずませ回路は、電源のスルーレート制限を処理するために入力信号の包絡線を予めひずませるよう動作可能である請求項１に記載の送信器。
【請求項４】
先行ひずませ回路は、ディジタルの先行ひずませ回路である請求項１に記載の送信器。
【請求項５】
ディジタルの先行ひずませ回路は、ルック・アップ・テーブル回路または多項式をベースにした回路の少なくとも一方を含む請求項４に記載の送信器。
【請求項６】
先行ひずませ回路は、アナログの先行ひずませ回路である請求項１に記載の送信器。
【請求項７】
アナログの先行ひずませ回路は、ダイオード、トランジスタ、または増幅器の少なくとも１つを含む請求項６に記載の送信器。
【請求項８】
先行ひずませ回路は、電源によって増幅器に供給される電力のレベルにおける過補償が適切な増幅を確実にするようにさせるために入力信号の包絡線を予めひずませるよう動作可能である請求項１に記載の送信器。
【請求項９】
先行ひずませによって引き起こされる過補償は、入力信号の包絡線のレベルに関係している請求項８に記載の送信器。
【請求項１０】
先行ひずませ回路は、増幅器、電源または先行ひずませ回路の少なくとも１つの回路の構成要素のための動作パラメータの変動に基づいて適切な増幅を維持するために入力信号の包絡線の先行ひずませを変化させるよう適合可能である請求項１に記載の送信器。
【請求項１１】
電源は、増幅器におけるドレイン電圧を変えることにより、増幅器に供給される電力のレベルを変え、先行ひずませ回路は、増幅器に供給される電力のレベルが必要とされたドレイン電圧に見合うかまたはそれを超えるようにするために、入力信号の包絡線を予めひずませるよう動作可能である請求項１に記載の送信器。
【請求項１２】
先行ひずませ回路は適合可能であり、
さらに、入力信号及び出力信号の少なくとも一方に基づいて先行ひずませ回路を適合させるように先行ひずませ回路に結合された信号処理回路を備えた請求項１に記載の送信器。
【請求項１３】
先行ひずませ回路は適合可能であり、
さらに、電源の入力信号及びトラッキング出力信号の少なくとも一方に基づいて先行ひずませ回路を適合させるように先行ひずませ回路に結合された信号処理回路を備えた請求項１に記載の送信器。
【請求項１４】
入力信号を増幅して出力信号を生成するための増幅回路と、
電源に向けられる入力信号の包絡線の変動に応答して、電源の伝達関数に従って、増幅器に供給される電力のレベルを変化させるよう動作可能な前記電源と、
電源の伝達関数における非線形性を処理するために、かつ電源の入力信号包絡線トラッキング能力を改善するために、入力信号が電源に向けられる前に、入力信号の包絡線の表示を受信して予めひずませるよう動作可能な先行ひずませ回路と、
を備えた送信器。
【請求項１５】
先行ひずませ回路は、電源のスルーレート制限を処理するために入力信号の包絡線を予めひずませるよう動作可能である請求項１４に記載の送信器。
【請求項１６】
先行ひずませ回路は、ディジタルの先行ひずませ回路である請求項１４に記載の送信器。
【請求項１７】
ディジタルの先行ひずませ回路は、ルック・アップ・テーブル回路または多項式をベースにした回路の少なくとも一方を含む請求項１６に記載の送信器。
【請求項１８】
先行ひずませ回路は、アナログの先行ひずませ回路である請求項１４に記載の送信器。
【請求項１９】
先行ひずませ回路は、電源によって増幅器に供給される電力のレベルにおける過補償が適切な増幅を確実にするようにさせるために、入力信号の包絡線を予めひずませるよう動作可能である請求項１４に記載の送信器。
【請求項２０】
先行ひずませ回路は、増幅器、電源または先行ひずませ回路の少なくとも１つの回路の構成要素のための動作パラメータの変動に基づいて適切な増幅を維持するために、入力信号の包絡線の先行ひずませを変化させるよう適合可能である請求項１４に記載の送信器。
【請求項２１】
先行ひずませ回路は適合可能であり、
さらに、入力信号及び出力信号の少なくとも一方に基づいて先行ひずませ回路を適合させるように先行ひずませ回路に結合された信号処理回路を備えた請求項１４に記載の送信器。
【請求項２２】
先行ひずませ回路は適合可能であり、
さらに、電源の入力信号及びトラッキング出力信号の少なくとも一方に基づいて先行ひずませ回路を適合させるように先行ひずませ回路に結合された信号処理回路を備えた請求項１４に記載の送信器。
【請求項２３】
増幅器への入力信号の包絡線をトラッキングし、該入力信号の包絡線の変動に応答して、電源の伝達関数に従って、増幅器に供給される電力のレベルを変える、包絡線トラッキング電源を有した電力増幅器であって、
電源に結合される先行ひずませ回路であって、電源の伝達関数における非線形性を処理するために、かつ電源の入力信号の包絡線のトラッキング能力を改善するために、電源に向けられる入力信号の包絡線の表示を受信して予めひずませるよう動作可能な前記先行ひずませ回路、
を備えた電力増幅器。
【請求項２４】
先行ひずませ回路は、ディジタルの先行ひずませ回路である請求項２３に記載の電力増幅器。
【請求項２５】
先行ひずませ回路は、アナログの先行ひずませ回路である請求項２３に記載の電力増幅器。
【請求項２６】
先行ひずませ回路は、電源によって増幅器に供給される電力のレベルにおける過補償が適切な増幅を確実にするようにさせるために入力信号の包絡線を予めひずませるよう動作可能である請求項２３に記載の電力増幅器。
【請求項２７】
先行ひずませ回路は、増幅器、電源または先行ひずませ回路の少なくとも１つの回路の構成要素のための動作パラメータの変動に基づいて適切な増幅を維持するために入力信号の包絡線の先行ひずませを変化させるよう適合可能である請求項２３に記載の電力増幅器。
【請求項２８】
先行ひずませ回路は適合可能であり、
さらに、増幅器の入力信号及び出力信号の少なくとも一方に基づいて先行ひずませ回路を適合させるように先行ひずませ回路に結合された信号処理回路を備えた請求項２３に記載の電力増幅器。
【請求項２９】
先行ひずませ回路は適合可能であり、
さらに、電源の入力信号及びトラッキング出力信号の少なくとも一方に基づいて先行ひずませ回路を適合させるように先行ひずませ回路に結合された信号処理回路を備えた請求項２３に記載の電力増幅器。
【請求項３０】
先行ひずませによって引き起こされる過補償は、入力信号の包絡線のレベルに関係している請求項２６に記載の電力増幅器。
【請求項３１】
信号を増幅する方法であって、
出力信号を生成するよう増幅器で入力信号を増幅する段階と、
増幅器に結合された電源で入力信号の包絡線をトラッキングし、そして該入力信号の包絡線の変動に応答して、電源の伝達関数に従って、電源によって増幅器に供給される電力のレベルを変化させる段階と、
電源に先立って、先行ひずませ回路で、トラッキングされた入力信号の包絡線を予めひずませ、電源の伝達関数における非線形性を処理して、電源の入力信号トラッキング能力を改善する段階と、
を含む方法。
【請求項３２】
トラッキングされた入力信号の包絡線の先行ひずませは、電源のスルーレート制限を処理する請求項３１に記載の方法。
【請求項３３】
入力信号をディジタルの先行ひずませ回路で予めひずませる段階をさらに含む請求項３１に記載の方法。
【請求項３４】
入力信号をアナログの先行ひずませ回路で予めひずませる段階をさらに含む請求項３１に記載の方法。
【請求項３５】
電源によって増幅器に供給される電力のレベルにおける過補償が適切な増幅を確実にするようにさせるために、入力信号の包絡線を予めひずませる段階をさらに含む請求項３１に記載の方法。
【請求項３６】
増幅器、電源または先行ひずませ回路の少なくとも１つの回路の構成要素のための動作パラメータの変動に基づいて適切な増幅を維持するために、入力信号の包絡線の先行ひずませを変化させる段階をさらに含む請求項３１に記載の方法。
【請求項３７】
入力信号の包絡線及び出力信号の少なくとも一方に基づいて入力信号の先行ひずませを適合させる段階をさらに含む請求項３１に記載の方法。
【請求項３８】
電源の入力信号の包絡線及び出力信号の少なくとも一方に基づいて入力信号の先行ひずませを適合させる段階をさらに含む請求項３１に記載の方法。
【請求項３９】
入力信号を受信して増幅された出力信号を生成するよう構成された増幅器に電力を供給する包絡線トラッキング電源に結合するための先行ひずませ回路であって、包絡線トラッキング電源は伝達関数を有し、先行ひずませ回路は、
増幅器への入力信号の検出された包絡線を受信するよう構成された、予めひずませるための回路であって、電源の伝達関数における非線形性に基づいて入力信号の包絡線を予めひずませて予めひずまされた出力信号を発生するよう動作可能な前記予めひずませるための回路と、
該予めひずませるための回路に結合された適合回路であって、該予めひずませるための回路に適合して入力信号の包絡線の先行ひずませを変更するよう構成された前記適合回路と、
を備え、
前記予めひずまされた出力信号は、増幅器へ出力される電力に影響を与えるよう電源への入力にとって適切である先行ひずませ回路。
【請求項４０】
前記予めひずませるための回路は、電源のスルーレート制限を処理するために入力信号を予めひずませるよう動作可能である請求項３９に記載の先行ひずませ回路。
【請求項４１】
前記予めひずませるための回路は、ディジタルの先行ひずませ回路である請求項３９に記載の先行ひずませ回路。
【請求項４２】
ディジタルの先行ひずませ回路は、ルック・アップ・テーブル回路または多項式をベースにした回路の少なくとも一方を含む請求項４１に記載の先行ひずませ回路。
【請求項４３】
前記予めひずませるための回路は、アナログの先行ひずませ回路である請求項３９に記載の先行ひずませ回路。
【請求項４４】
アナログの先行ひずませ回路は、ダイオード、トランジスタ、または増幅器の少なくとも１つを含む請求項３９に記載の先行ひずませ回路。
【請求項４５】
前記予めひずませるための回路は、増幅器に供給される電力における過補償を生じるために、入力信号の包絡線を予めひずませるよう動作可能である請求項３９に記載の先行ひずませ回路。
【請求項４６】
前記適合回路は、増幅器の入力信号及び出力信号の少なくとも一方に基づいて前記予めひずませるための回路を適合させるように構成された請求項３９に記載の先行ひずませ回路。
【請求項４７】
前記適合回路は、電源の入力信号及び出力信号の少なくとも一方に基づいて前記予めひずませるための回路を適合させるように構成された請求項３９に記載の先行ひずませ回路。